(57)【要約】
【課題】　順方向の組み立て方法と、縦横交錯させた組み立て方法のどちらにも同時に対応することのできる、組み立て床板を提供する。
【解決手段】　面板２と、底板３とから成り、前記面板２は正四角形を呈し、前記底板３の相隣する二辺は前記面板２の対応する辺から外側へ露出された複数の突出歯４を備え、該底板３の別の二辺は前記面板２の対応する辺の範囲内に隠され、且つ、該二辺にそれぞれ前記突出歯４に相対する複数の凹穴５を形成し、特に、前記底板３の各辺角端部６が直角に相互に交わる隣接辺６０及び６１から成り、且つ、該隣接辺６０及び６１は長さが同じで、底板３の各辺の突出歯４と凹穴５がすべて辺上の適中して均等な位置に位置し、縦横を交錯させて組み立てても位置のずれを生じない構造の組み立て床板である。
【選択図】　　図８
0003099711.tif 000002
【実用新案登録請求の範囲】
【請求項１】
　組立て床板であって、面板と底板から成り、正四角形を呈し、前記底板の相隣する二辺に複数の突出歯を形成し、該突出歯は底板上面に設置された前記面板の対応する二辺から外側へ露出され、該底板の別の二辺には、前記突出歯に対応する複数の凹穴を形成し、該凹穴を備えた二辺は、前記面板の対応する二辺の範囲内に隠され、相隣する二つの床板は、前記突出歯と凹穴を嵌合して組立てられ、前記底板の各辺角端部は、直角に交わる隣接辺から構成され、該隣接辺はそれぞれ同じ長さであり、前記各突出歯と凹穴が、該床板の各辺において均等に位置しており、順方向または縦横を交錯させて組み立てるときのどちらにおいても、位置ずれが防止されることを特徴とする組立て床板。
【請求項２】
　前記底板の各突出歯の根部に、一体成形により連接体を形成し、各突出歯を連結し、一列の歯列状にし、別の辺上の凹穴を相対する形態に形成し、余剰部分の突出歯を列状のまま切除し、組立てが行なわれない前記凹穴に充填し、面板が支持されることを特徴とする請求項１に記載の組立て床板。
【考案の詳細な説明】
【技術分野】
【０００１】
　本考案は、組み立て床板に関する。
【背景技術】
【０００２】
　図１に従来の組み立て床板１を示す。従来の組み立て床板１は、図２及び図３に示すように、四辺形の面板１１及び背部の底板１２から成り、そのうち、前記底板１２の二辺に、結合部１２１が設けられ、前記面板１１の対応する辺から外側へ露出し、別の二辺に凹穴１２２が形成され、面板１１の範囲内に隠れ、この構造により、床板１の結合部１２１と別の床板１の凹穴１２２とを嵌合し、図４のように組み立てるしくみである。
【０００３】
　美観を得るために、面板１１の表面には、木目柄または絨毯の毛柄が印刷されており、図４及び図５に示すように、木目柄を順方向に組み立てると美しい外観が得られる。しかしながら、横方向と縦方向の柄を交錯させて組み立て、異なる柄を表現したい場合、底板１２の結合部１２１と凹穴１２２が一方向のみの組み立て向けに設計されているため、該結合部１２１と凹穴１２２の構成が四方の辺角端部１２３、１２４、１２５、１２６のすべてにおいて対等でない状態となり、縦横を交錯させて組み立てると、相隣する二つの床板１が図６及び図７に示すように位置にずれが生じるため、製造業者は各組み立て方式に対し個別に面板１１と底板１２とを生産しなければならず、製造フローが複雑になり、コストも高くなってしまう。
【考案の開示】
【考案が解決しようとする課題】
【０００４】
　本考案は、順方向の組み立て方法と、縦横交錯させた組み立て方法のどちらにも同時に対応することのできる、組み立て床板の提供を目的とするものである。
【課題を解決するための手段】
【０００５】
　本考案の組み立て床板は、面板２と、底板３とから成り、前記面板２は正四角形を呈し、前記底板３の相隣する二辺は前記面板２の対応する辺から外側へ露出された複数の突出歯４を備え、該底板３の別の二辺は前記面板２の対応する辺の範囲内に隠され、且つ、該二辺にそれぞれ前記突出歯４に相対する複数の凹穴５を形成し、特に、前記底板３の各辺角端部６が直角に相互に交わる隣接辺６０及び６１から成り、且つ、該隣接辺６０及び６１は長さが同じで、底板３の各辺の突出歯４と凹穴５がすべて辺上の適中して均等な位置に位置し、縦横を交錯させて組み立てても位置のずれを生じない構造である。
【考案を実施するための最良の形態】
【０００６】
　図８及び図９に示すように、本考案の第一実施例による組み立て床板は、面板２と、底板３とから成り、前記面板２は正四角形を呈し、前記底板３の相隣する二辺は、前記面板２の対応する辺から外側へ露出された複数の突出歯４を備え、該底板３の別の二辺は、前記面板２の対応する辺の範囲内に隠され、且つ、各辺にそれぞれ前記突出歯４に相対する複数の凹穴５を形成し、特に、前記底板３の各辺角端部６が直角に相互に交わる隣接辺６０及び６１から成り、且つ、該隣接辺６０及び６１は長さが同じで、底板３の各辺の突出歯４と凹穴５とがすべて辺上の適中した均等な位置に位置する。
【０００７】
　図１０及び図１１に示すように、二つの組み立て床板は、前記突出歯４と、凹穴５とを嵌合し、順方向に組み合わせることができ、前記凹穴５は前記面板２の底部に隠れる構造のため、組み立て後結合部分は完全に隠され、美観を保つことができる。
【０００８】
　図１２及び図１３に示すように、相互に嵌合された突出歯４と凹穴５は、適中した対等の位置に設けられており、且つ、各辺角端部６の隣接辺６０、６１の長さが同じであるため、縦横を交錯させて組み立てても位置のずれを生じない構造である。
【０００９】
　前記面板２は、各種の異なる材質が利用可能であり、例えば、図８に示すような絨毯、図１０の木板、図１４の竹薄板、図１５の軟木またはプラスチック、石材等、様々な材質を用いることができ、前記底板３は各種の弾力性発泡体とすることができる。
【００１０】
　さらに、本考案の第二実施例による組み立て床板は、往々にして室内の角部において、美観追求のため余剰部分を切除するか、または室内の角部に接して床板を平置するが、後者の場合、床板に形成された凹穴５上方の面板２が該凹穴５部分は底板３の支持がないため陥没してしまうことがあり、このため、図１６に示す本考案の別の実施例においては、底板３の各突出歯４底部に一体成型で連接体４１を形成し、該突出歯を一列の歯列状に連結し、前記凹穴５を相対する形態に形成し、余剰部分の突出歯４を連結した一列の状態で切除し、この切除した突出歯４を組み立てを行なわない部分の凹穴５に充填し、面板２が支持された状態を形成する。
【００１１】
　図１７に、別の歯型を応用した本考案の第三実施例による組み立て床板を示す。
【図面の簡単な説明】
【００１２】
【図１】従来の組み立て床板の面板を示す立体模式図である。
【図２】図１の組み立て床板の底板を示す立体模式図である。
【図３】図１の組み立て床板の底板を示す平面模式図である。
【図４】図１の組み立て床板を順方向に組み立てたときの面板の状態を示す模式図である。
【図５】図１の組み立て床板を順方向に組み立てたときの底板の状態を示す模式図である。
【図６】図１の組み立て床板を縦横交錯して組み立てたときの面板の状態を示す模式図である。
【図７】図１の組み立て床板を縦横交錯して組み立てたときの底板の状態を示す模式図である。
【図８】本考案の第一実施例による組み立て床板を示す立体模式図である。
【図９】本考案の第一実施例による組み立て床板の底板を示す平面模式図である。
【図１０】本考案の第一実施例による組み立て床板を順方向に組み立てたときの面板の状態を示す模式図である。
【図１１】本考案の第一実施例による組み立て床板を順方向に組み立てたときの底板の状態を示す模式図である。
【図１２】本考案の第一実施例による組み立て床板を縦横交錯して組み立てたときの面板の状態を示す模式図である。
【図１３】本考案の第一実施例による組み立て床板を縦横交錯して組み立てたときの底板の状態を示す模式図である。
【図１４】本考案の第一実施例による組み立て床板の面板の材質を示す模式図である。
【図１５】本考案の第一実施例による組み立て床板の面板の別の材質を示す模式図２である。
【図１６】本考案の第二実施例による組み立て床板を示す模式図である。
【図１７】本考案の第三実施例による組み立て床板を示す模式図である。
【符号の説明】
【００１３】
　１　床板、２　面板、３　底板、４　突出歯、５　凹穴、６　辺角端部、１１　面板、１２　底板、４１　連接体、６０、６１　隣接辺、１２１　結合部、１２２　凹穴、１２３、１２４、１２５、１２６　辺角端部
【図１】
0003099711.tif 000003
【図２】
0003099711.tif 000004
【図３】
0003099711.tif 000005
【図４】
0003099711.tif 000006
【図５】
0003099711.tif 000007
【図６】
0003099711.tif 000008
【図７】
0003099711.tif 000009
【図８】
0003099711.tif 000010
【図９】
0003099711.tif 000011
【図１０】
0003099711.tif 000012
【図１１】
0003099711.tif 000013
【図１２】
0003099711.tif 000014
【図１３】
0003099711.tif 000015
【図１４】
0003099711.tif 000016
【図１５】
0003099711.tif 000017
【図１６】
0003099711.tif 000018
【図１７】
0003099711.tif 000019